(57)【特許請求の範囲】
【請求項１】
下方に継手部（１１）、側方に筒状開口部（１２）を有する配管用ボックス（１）内にエルボ継手（２）を納めると共に、該エルボ継手（２）の接続部（２１，２２）に配管（３ａ，３ｂ）を接続するにあたり、次の各工程からなることを特徴とする配管施工法。
▲１▼建屋の壁（９）の裏側に配管用ボックス（１）を固定すると共に、該配管用ボックス（１）の下方に開口した継手部（１１）に鞘管（４）の端部を接続すること、
▲２▼前記鞘管（４）内に配管（３ａ）を挿通し、該配管（３ａ）の先端部を配管用ボックス（１）の筒状開口部（１２）から引き出すと共に、その端部をエルボ継手（２）の一端接続部（２１）に接続すること、
▲３▼前記エルボ継手（２）の他端接続部（２２）に押込み工具（６ａ）を接続し、該押込み工具（６ａ）を把持してエルボ継手（２）を筒状開口部（１２）から配管用ボックス（１）内に挿入すると共に、筒状開口部（１２）の内側に設けた係止部（１２１）にエルボ継手（２）の外周に設けた鍔（２３）を押付けること、
▲４▼筒状開口部（１２）の外周に設けた雄ねじ（１２２）に固定リング（５）の雌ねじ（５１）を螺合すると共に、該固定リング（５）の端面に係合させた回転工具（６ｂ）を回動させてねじ込み、固定リング（５）と筒状開口部（１２）の係止部（１２１）との間でエルボ継手（２）の外周に設けた鍔（２３）を挾持すること、
【発明の詳細な説明】
【０００１】
【産業上の利用分野】
本発明は、配管用ボックス内にエルボ継手を納めると共に、該エルボ継手にガス、水等の輸送配管を接続する配管の施工法に関する。
【０００２】
【従来の技術】
特開平３ー９１８７号には、建屋の壁に配管用ボックスを固定してから、該配管用ボックス内にエルボ継手を納めると共に、該エルボ継手にガス、水等を輸送する合成樹脂管を接続する配管の施工法が提案されている。
【０００３】
【発明が解決しようとする課題】
しかしながら、この従来工法の場合には、配管用ボックス内にエルボ継手を納める作業に手間がかかるだけでなく、固定リングを配管用ボックスの筒状開口部に螺合する作業がうまく行えないことがあった。
【０００４】
即ち、配管用ボックスの筒状開口部から引き出した合成樹脂管の先端部にエルボ継手を接続してから該エルボ継手を配管用ボックス内に挿入するとき、エルボ継手と接続した合成樹脂管はある程度の剛性を有するため、エルボ継手の収納作業に手間がかかることがあった。また、この収納作業に付随して、エルボ継手を固定しつつ配管用ボックスの筒状開口部に固定リングを螺合するとき、ねじ込み作業に手間取ることがあった。
【０００５】
本発明はかかる課題を解決したものであって、配管用ボックス内にエルボ継手を簡単に納めることができると共に、配管用ボックスの筒状開口部に固定リングを簡単にねじ込むことができる配管の施工法を提供するものである。
【０００６】
【課題を解決するための手段】
本発明は、下方に継手部、側方に筒状開口部を有する配管用ボックス内にエルボ継手を装着すると共に、該エルボ継手の接続部に配管を接続するにあたり、まず建屋の壁の裏側に配管用ボックスを固定し、配管用ボックスの下方に開口した継手部に鞘管の端部を接続する。
次いで、前記鞘管内に配管を挿通し、該配管の先端部を配管用ボックスの筒状開口部から引き出すと共に、その端部にエルボ継手の一端接続部を接続する。
そこで、前記エルボ継手の他端接続部に押込み工具を接続し、該押込み工具を把持してエルボ継手を筒状開口部から配管用ボックス内に挿入すると共に、筒状開口部の内側に設けた係止部にエルボ継手の外周に設けた鍔を押付ける。
最後に、筒状開口部の外周に設けた雄ねじに固定リングの雌ねじを螺合すると共に、固定リングの端面に係合させた回転工具を回動させてねじ込み、固定リングと筒状開口部の係止部との間でエルボ継手の外周に設けた鍔を挾持することを特徴とする。
【０００７】
【作用】
エルボ継手を配管用ボックス内に挿入するとき、該エルボ継手の他端接続部に押込み工具を接続し、該押込み工具を把持してエルボ継手を筒状開口部から配管用ボックス内に押込むので、収納作業が容易に行なえる。
また、押込み工具でエルボ継手を固定しつつ筒状開口部の外周に設けた雄ねじに固定リングの雌ねじを螺合するとき、固定リングの端面に係合させた回転工具を回動させると、該固定リングと筒状開口部の係止部との間でエルボ継手の外周に設けた鍔が挾持される。
【０００８】
【実施例】
以下、本発明の実施例を図面にて詳細に説明する。
図１は本発明で使用する部品の展開図、図２は配管の接続状態を示す部分欠截断面図、図３はエルボ継手を配管用ボックス内に挿入する工程の部分欠截断面図、図４はエルボ継手を配管用ボックス内に納めてから固定リングをねじ込む工程の断面図であって、図中の符号１は配管用ボックス、２はエルボ継手、３ａ，３ｂは配管である。一方の配管３ａはポリエチレン、ポリブテンの合成樹脂からなり、他方の配管３ｂは配管３ａと同種の合成樹脂、あるいは鋳鉄等の金属からなるものである。
【０００９】
配管用ボックス１は、塩化ビニル樹脂等の合成樹脂、あるいはアルミニウム等の金属部材からなり、その下方に継手部１１が設けられている。配管用ボックス１の前側板１３の中央には筒状開口部１２が設けられており、前記前側板１３の両側縁にはビス止め用のスリット１３１が設けられている。また、配管用ボックス１の上方にはビス止め用のスリット１４１を有する固定板１４が設けられている。
【００１０】
本発明では、まず建屋の壁９の所定位置に貫通孔９１を穿設し、該貫通孔９１と位置合わせを行ないつつ壁９の裏側に配管用ボックス１を固定する。このとき、配管用ボックス１の前側板１３を枠板９２に押し当ててビス止めすると共に、上方の固定板１４を垂木９３にビス止めする。そして、配管用ボックス１の下方に開口した継手部１１に伸縮性を有する蛇腹状の鞘管４の端部を嵌挿し、継手部１１に設けたスリット１１０に二又状のピン７を差込み、鞘管４の蛇腹溝に係合させて固定する。
【００１１】
次に、建屋の壁９の裏側から鞘管４内に配管３ａを挿通し、該配管３ａの先端部を配管用ボックス１の筒状開口部１２から引き出す。そして、引き出した配管３ａの端部にエルボ継手２の一端接続部２１を接続する。尚、図面にはエルボ継手２の一端接続部２１に配管３ａの端部を挿入してからナットで締付けて接続するものを例示したが、配管３ａとエルボ継手２の一端接続部２１とは適宜の接続構造を採ることができる。
【００１２】
そこで、図３に示した如くエルボ継手２の他端接続部２２に押込み工具６ａの端部を接続する。押込み工具６ａは短管の一端部に雄ねじを設けたものであって、該雄ねじをエルボ継手２の他端接続部２２の内周に設けた雌ねじにねじ込んで接続する。この様にして、エルボ継手２の他端接続部２２に押込み工具６ａを接続してから該押込み工具６ａを手で把持し、エルボ継手２を筒状開口部１２から配管用ボックス１内に挿入すると共に、筒状開口部１２の内側に設けた係止部１２１にエルボ継手２の外周に設けた鍔２３を押付けて固定する。
この接続操作の際に、予め押込み工具６ａの先端に固定リング５と、回転工具６ｂを外挿しておく。
【００１３】
前記固定リング５の端面には周方向に所定間隔で凹部５２が設けられており、該凹部５２に回転工具６ｂに設けた突起６１が係合するようになっている。そこで、回転工具６ｂを回動させて固定リング５の雌ねじ５１を筒状開口部１２の外周に設けた雄ねじ１２２に螺合させ、更に回転工具６ｂを回動させて固定リング５と筒状開口部１２の係止部１２１との間でエルボ継手２の外周に設けた鍔２３を挾持する。
【００１４】
この様にして配管用ボックス１内にエルボ継手２を固定した後、回転工具６ｂを抜き出して押込み工具６ａの端部に配管３ｂを接続することも可能であるが、通常はエルボ継手２の他端接続部２２から押込み工具６ａと回転工具６ｂを取り外してから配管３ｂを接続する。そして、予め配管３ｂに外挿しておいたキャップ８で壁９に穿設されている貫通孔９１を閉塞すると、図２に示した如く配管施工が完了する。
【００１５】
【発明の効果】
以上詳述した如く、本発明では押込み工具と回転工具とを使用し、エルボ継手を配管用ボックス内に挿入するとき、該エルボ継手の他端接続部に押込み工具を接続してから該押込み工具を把持してエルボ継手を筒状開口部から配管用ボックス内に押込むので、収納作業が容易に行なえる。
【００１６】
また、押込み工具でエルボ継手を固定しつつ筒状開口部の外周に設けた雄ねじに固定リングの雌ねじを螺合するので、ねじ込み操作が容易に行なえ、更には固定リングの端面に係合させた回転工具を回動させるだけで、固定リングと筒状開口部の係止部との間でエルボ継手の外周に設けた鍔を簡単、かっ確実に挾持固定することができる。
【図面の簡単な説明】
【図１】図１は本発明で使用する部品の展開図である。
【図２】図２は配管の接続状態を示す部分欠截断面図である。
【図３】図３はエルボ継手を配管用ボックス内に挿入する工程の部分欠截断面図である。
【図４】図４はエルボ継手を配管用ボックス内に納めてから固定リングをねじ込む工程の断面図である。
【符号の説明】
１    配管用ボックス
２    エルボ継手
３ａ，３ｂ    配管
４    鞘管
５    固定リング
６ａ    押込み工具
６ｂ    回転工具
【図１】
0003623545.tif 000002
【図２】
0003623545.tif 000003
【図３】
0003623545.tif 000004
【図４】
0003623545.tif 000005